(57)【要約】【課題】鈴および鈴棒を持参することなく石碑の前で鈴を鳴らすことのできる墓装置を提供する。【解決手段】石碑に付属する香炉本体２０に、横穴２２を設け、その内部に鈴装置３０を収容する。鈴装置は、鈴３２と、これを打つための打撃手段３３と、横穴の入口を閉じる蓋３１と、蓋の外側に設けた操作部３４と、操作部の動きを、鈴を打つ動作として打撃手段に伝達する伝達手段３５とからなる。横穴２２と音抜路２３で香立２１に連通している。【選択図】図１
2004150104.tif 000002
【特許請求の範囲】
【請求項１】
墓に付属する墓装置であって、
石碑に付属する付属物本体と、
前記付属物本体に設けた穴部と、
前記穴部に収容された鈴と、
前記穴部に収容され、前記鈴を打つ打撃手段と、
操作部と、
前記操作部の動きを、前記鈴を打つ動作として前記打撃手段に伝達する伝達手段と
を有することを特徴とする墓装置。
【請求項２】
墓に付属する墓装置であって、
石碑に付属する付属物本体と、
前記付属物本体に設けた穴部と、
前記穴部に収容された鈴と、
前記穴部に収容され、前記鈴を打つ打撃手段と、
前記穴部の口を閉じる蓋と、
前記蓋の外側に設けた操作部と、
前記操作部の動きを、前記鈴を打つ動作として前記打撃手段に伝達する伝達手段と
を有することを特徴とする墓装置。
【請求項３】
前記蓋は、前記付属物本体に着脱可能であって、
前記蓋に、前記鈴と前記打撃手段と前記操作部と前記伝達手段を取り付けた
ことを特徴とする請求項２に記載の墓装置。
【請求項４】
前記付属物本体は香炉であり、
前記穴部から前記香炉の正面に彫られた香立に連通する音抜路を設けた
ことを特徴とする請求項１、２または３に記載の墓装置。
【発明の詳細な説明】
【０００１】
【発明の属する技術分野】
本発明は、墓に付属する墓装置にかかわり、特に香炉など石碑の正面に配置される付属物に関する。
【０００２】
【従来の技術】
墓地では、通常、石碑の手前に花立、水鉢、香炉などが配置されており、花立に花を供え、水鉢に水を入れ、香炉の正面に掘られた香立の中で線香を焚いてお参りする。
【０００３】
【特許文献１】
特開２００１−１８６９７９号公報
【特許文献２】
特開２００１−２４１２１５号公報
【０００４】
【発明が解決しようとする課題】
墓およびその付属物は、風雨に耐え得る石で構成されたものばかりであり、石碑の前で鈴を鳴らす場合には、鈴およびこれを打つための鈴棒を持参しなけれならず、不便であった。また、お経をあげているときは手を合わせるので、持参した鈴をどこかに置かなければならず、その置き場所に苦労していた。
【０００５】
本発明は、このような問題点に着目してなされたもので、鈴および鈴棒を持参することなく石碑の前で鈴を鳴らすことのできる墓装置を提供することを目的としている。
【０００６】
【課題を解決するための手段】
かかる目的を達成するための本発明の要旨とするところは、次の各項の発明に存する。
［１］墓に付属する墓装置であって、
石碑に付属する付属物本体（２０）と、
前記付属物本体（２０）に設けた穴部（２２）と、
前記穴部（２２）に収容された鈴（３２）と、
前記穴部（２２）に収容され、前記鈴（３２）を打つ打撃手段（３３）と、
操作部（３４）と、
前記操作部（３４）の動きを、前記鈴（３２）を打つ動作として前記打撃手段（３３）に伝達する伝達手段（３５）と
を有することを特徴とする墓装置。
【０００７】
［２］墓に付属する墓装置であって、
石碑に付属する付属物本体（２０）と、
前記付属物本体（２０）に設けた穴部（２２）と、
前記穴部（２２）に収容された鈴（３２）と、
前記穴部（２２）に収容され、前記鈴（３２）を打つ打撃手段（３３）と、
前記穴部（２２）の口を閉じる蓋（３１）と、
前記蓋（３１）の外側に設けた操作部（３４）と、
前記操作部（３４）の動きを、前記鈴（３２）を打つ動作として前記打撃手段（３３）に伝達する伝達手段（３５）と
を有することを特徴とする墓装置。
【０００８】
［３］前記蓋（３１）は、前記付属物本体（２０）に着脱可能であって、
前記蓋（３１）に、前記鈴（３２）と前記打撃手段（３３）と前記操作部（３４）と前記伝達手段（３５）を取り付けた
ことを特徴とする［２］に記載の墓装置。
【０００９】
［４］前記付属物本体（２０）は香炉（２０）であり、
前記穴部（２２）から前記香炉（２０）の正面に彫られた香立（２１）に連通する音抜路（２３）を設けた
ことを特徴とする［１］、［２］または［３］に記載の墓装置。
【００１０】
次に、前記各項に記載された発明の作用について説明する。
墓に付属する付属物本体（２０）に穴部（２２）を開設し、その中に鈴（３２）とこれを打つための打撃手段（３３）を収容する。この穴の口を蓋（３１）で閉じる。蓋（３１）の外側には操作部（３４）が設けてあり、伝達手段（３５）は、操作部（３４）の動きを、鈴（３２）を打つ動作として打撃手段（３３）に伝達する。蓋（３１）の外側に設けた操作部（３４）を人が操作すると、穴部（２２）の内側に収容した鈴（３２）が鳴る。なお、蓋（３１）を省略したり、操作部（３４）を蓋（３４）以外の他の場所に設けてもよい。
【００１１】
このように、外からの操作で鳴るように墓の付属物に鈴（３２）を内蔵したので、鈴および鈴棒を持参することなく石碑の前で鈴を鳴らすことができる。鈴（３２）および打撃手段（３３）を穴部（２２）に収容して蓋（３１）をしたので、これらが風雨から保護される。また墓の付属物に鈴（３２）を内蔵したので、鈴（３２）を墓に装備しても既存の墓地の形態が変わらず維持される。
【００１２】
付属物を香炉（１０）とし、穴部（２２）から香炉本体（２０）の正面に掘られた香立（２１）に連通する音抜路（２３）を設ける。香炉（１０）は、墓の前で手を合わせている人の最も近くに配置される付属物なので、操作部（３４）に手が届きやすく、操作性が高い。また音抜路（２３）を設けたので、減衰が少なく、鮮明な音になる。音抜路（２３）を香立（２１）に連通させたので、音抜路（２３）の出口が目立たない。また香立（２１）の中に音抜路（２３）が開口しているので、音抜路（２３）の出口から鈴（３２）等の収容された穴部（２２）へ、雨が侵入し難くなる。
【００１３】
蓋（３１）を付属物本体（２０）に着脱可能とし、かつ蓋（３１）に、鈴（３２）と打撃手段（３３）と操作部（３４）と伝達手段（３５）を取り付ける。鈴（３２）などの部品を予め蓋（３１）に取り付けてから付属物本体（２０）に蓋（３１）を取り付ければよいので、取付作業が容易になる。
【００１４】
【発明の実施の形態】
以下、図面に基づき本発明の実施の形態を説明する。
図１は、本発明の実施の形態にかかわる墓装置としての香炉１０を示している。香炉１０は、図２に示すよう設置される。通常、墓１は、芝台２ａ、中台２ｂ、上台２ｃ、棹石２ｄ等から構成される石碑２を有し、墓の付属物として、石碑２の正面手前に水鉢３、花立４が配置され、水鉢３のさらに手前に香炉１０が配置される。
【００１５】
図１に示すように香炉１０は、やや横長の略直方体形状を成した香炉本体２０と、鈴装置３０とから構成される。香炉本体２０は、石を削って形成される。香炉本体２０の正面中央には、香立２１が彫ってある。また、左側面の奥方上部からこの側面と垂直に、円柱状の横穴（穴部２２）が彫ってある。穴部２２は、香立２１より奥に位置しており、音抜路２３で香立２１と連通している。音抜路２３は、香立２１の奥の内壁に開口している。穴部２２の入口には、内周に雌螺子の形成された短筒状の口縁リング２４が取り付けてある。口縁リング２４は樹脂で形成されている。なお、穴部２２の入口の内周壁を削り、直接ここに雌螺子を形成してもよい。
【００１６】
図３は、鈴装置３０の斜視図であり、図４は、鈴装置３０の断面図である。鈴装置３０は、香炉本体２０の穴部２２の入口を塞ぐ蓋３１と、鈴３２と、この鈴３２を打つ打撃手段３３と、操作部３４と、伝達手段３５とを有している。蓋３１は、穴部２２の入口よりもやや径の大きい円板部３１ａを有し、その裏面には、口縁リング２４の内径とほぼ同径で短い円筒形状を成した嵌合部３１ｂが立設されている。嵌合部３１ｂの外周面には、口縁リング２４の内周壁に形成された雌螺子と螺合する雄螺子が形成されている。
【００１７】
鈴３２は、ほぼ、中空の半球形状を成し、真鍮等の金属で形成されている。鈴３２は、円板部３１ａの裏面に垂直に立設された支柱３６の先端に螺子止めされている。支柱３６は、その先端に雌螺子が形成されており、当該先端部分が円板部３１ａに設けられた穴を貫通し、円板部３１ａを両側からナットで挟持することで円板部３１ａに固定されている。
【００１８】
打撃手段３３は、鈴３２を打つ球部３３ａを有し、球部３３ａは、ばね３３ｂの先端に取り付けてある。ばね３３ｂの他端は、円板部３１ａの裏面に垂直に立設された支柱３３ｃの先端に取り付けてある。球部３３ａは、平常状態において、鈴３２の周縁の内側近傍に位置し、ばね３３ｂが、たわむことで鈴３２を打撃可能になっている。
【００１９】
伝達手段３５は、円柱部３５ａと偏心カム３５ｂとからなる。円柱部３５ａは、蓋３１の円板部３１ａに開設された穴を貫通し、蓋３１に回動可能に支持されている。伝達手段３５は、蓋３１の表側にやや突出しており、その先端に回転ハンドルである操作部３４が取り付けてある。伝達手段３５のうち、蓋３１の裏面側へ延びた側の先端には偏心カム３５ｂが取り付けてある。
【００２０】
偏心カム３５ｂは、図５に示すような形状を成しており、端に位置する支持部Ｂが円柱部３５ａの先端に固定され、円柱部３５ａを回すと支持部Ｂを中心にカム部Ａが大きく回転するようになっている。図４において、操作部３４を回すと伝達手段３５が回動し、これに伴って偏心カム３５ｂが支持部Ｂを中心に回動する。この回動によってカム部Ａが支持部Ｂより上方へ移動すると、やがてカム部Ａが、ばね３３ｂに当たり、ばね３３ｂを次第に上方へ押し上げる。その後、カム部Ａの先端が、ばね３３ｂを通り過ぎると、ばね３３ｂが元の位置へ向かって勢い良く戻り、元の位置を行き過ぎて球部３３ａが鈴３２を打つようになっている。
【００２１】
図６は、鈴装置３０を取り付けた状態の香炉１０の側面を示している。鈴３２を穴部２２の側に向けて、蓋３１の嵌合部３１ｂの雄螺子を口縁リング２４に螺合することで、香炉本体２０へ鈴装置３０を取り付ける。ここでは、ねじ込み完了位置において、丁度、伝達手段３５の円柱部３５ａが真下になるように調整されている。
【００２２】
墓参りに来た人が、操作部３４を回すと、上述したように偏心カム３５ｂのカム部Ａが打撃手段３３のばね３３ｂを次第に上方へ押し上げ、やがてカム部Ａの先端部分がばね３３ｂを通り過ぎると、ばね３３ｂが勢い良く元の位置へ戻り、さらに元の位置を行き過ぎて球部３３ａが鈴３２を打ち鳴らす。鈴３２の発した音は、音抜路２３および香立２１を通じて伝播する。
【００２３】
このように、香炉１０に鈴３２を内蔵し、操作部３４を外部から操作することで鈴３２が鳴るようにしたので、お参りに来た人は、鈴および鈴棒を持参することなく石碑の前で鈴を鳴らすことができる。また鈴３２や伝達手段３５を、香炉本体２０に設けた穴部２２に収容しかつ蓋３１で口を閉じてあるので、鈴３２などを風雨から保護することができる。また石碑の付属物である香炉１０に鈴を内蔵したので、鈴専用の装置を別途設ける必要がなく、既存の墓地の形態に影響を与えず、違和感がない。
【００２４】
特に香炉は、墓の前で手を合わせている人の最も近くに配置される付属物なので、操作部３４に手が届きやすく、操作性が高くなる。また音抜路２３を設けたので、音量の減衰が少なく、鮮明な音になる。さらに音抜路の出口を香立の奥壁に開口させたので、他の場所に音抜路の出口を開口する場合に比べて、開口が目立たない。また香立の奥壁に開口したことで、音抜路２３の出口から風雨が穴部２２の中へ侵入し難い。
【００２５】
蓋３１を穴部２２から着脱可能とし、かつ蓋３１に、鈴３２を鳴らすための機構のすべてを取り付けたので、予め鈴３２などの部品をすべて蓋３１に取り付けてから、香炉本体２０に鈴装置３０を取り付けることができ、取付作業が容易になる。
【００２６】
図７は、香炉本体２０の穴部２２に収容する鈴装置の他の構成例を示している。伝達手段としての支柱５１は、蓋５２に設けた穴を貫通し、その長手方向の略中心で蓋５２に回動自在に支持されている。蓋５２の表側に突出している支柱５１の先端は、操作部５３になっている。支柱５１のうち蓋５２の裏側に突出した側の先端には、ばね５４が取り付けてあり、ばね５４の先端に、鈴３２を打つ球部５５が取り付けてある。ばね５６によって支柱５１は、球部５５のある側が図の下方に向けて付勢されている。また蓋５２の裏側には規制部５７を設けてあり、支柱５１は、規制部５７に突き当たることで、球部５５のある側が図で水平よりさらに下方へ回らないようになっている。
【００２７】
鈴装置５０は、手で操作部５３を押し下げた後、操作部５３を離すと、鈴３２が鳴る。すなわち、操作部５３を押し下げることで図７の破線で示すように、球部５５のある側が持ち上がる。この状態で操作部５３から手を離すと、ばね５６の力で球部５５のある側が勢いよく下方に向かって移動し、規制部５７に突き当たって支柱５１が水平な状態で停止する。このとき、球部５５は、ばね５４がたわむことによってさらに下方へ移動して鈴３２の内周壁を打つ。
【００２８】
鈴装置５０に示す構成においても、図４に示した鈴装置３０と同様の効果を得ることができる。また図７に示す鈴装置５０では、操作部５３をどの程度押し下げてから手を離すかによって、鈴３２を打つ強さを調整することができる。
【００２９】
以上、本発明の実施の形態を図面によって説明してきたが、具体的な構成はこれに限られるものではなく、本発明の要旨を逸脱しない範囲における変更や追加があってもかまわない。
【００３０】
たとえば、香炉１０に代えて、水鉢３や花立４など他の種類の付属物に鈴装置３０、５０を取り付けて墓装置としてもよい。また中台や上台などに鈴装置３０、５０を取り付けてもよい。鈴を鳴らす機構は、実施の形態で例示したものに限定されない。内蔵した鈴を外部からの操作で鳴らすことができる機構であればよい。また鈴や打撃機構を蓋に取り付けるようにしたが、内蔵する機構を蓋と別体に構成してもよい。この場合には、たとえば、ピアノ線などのワイヤで打撃機構を操作部から遠隔操作するように構成するとよい。
【００３１】
【発明の効果】
本発明にかかる墓装置によれば、墓の付属物に穴を開けて鈴を内蔵して、外部からの操作で内蔵した鈴が鳴るように構成したので、お参りに来る人は、鈴および鈴棒を持参することなく石碑の前で鈴を鳴らすことができ、利便性が向上する。また、通常、墓は屋外に設けられるが、付属物にあけた穴部に鈴および打撃手段を収容して蓋をしたので、これらを風雨から保護することができる。また石碑の付属物に鈴を内蔵したので、既存の墓地の形態を変えずに、鈴を設置することができる。
【００３２】
香炉に鈴を内蔵したものでは、操作部に手が届きやすく、操作性が良くなる。また音抜路を設けたものでは、音量の減衰が少なく、鮮明な音になる。音抜路を香立に連通させたものでは、音抜路の出口が目立たない。さらに香立の中に音抜路の出口が開口することで、当該出口からの雨の侵入が防止される。
【００３３】
蓋を付属物本体に着脱可能とし、かつ蓋に、鈴と打撃手段と操作部と伝達手段を取り付けたものでは、予め鈴などの部品を蓋に取り付けてから付属物本体に蓋を取り付ければよいので、取付作業が容易になる。
【図面の簡単な説明】
【図１】本発明の一実施の形態に係る香炉を示す説明図である。
【図２】本発明の一実施の形態に係る香炉の配置される一般的な墓地の形態を示す説明図である。
【図３】本発明の一実施の形態に係る香炉の鈴装置の一例を示す斜視図である。
【図４】図３に示す鈴装置の断面図である。
【図５】偏心カムの一例を示す正面図である。
【図６】鈴装置を取り付けた状態の香炉を示す側面図である。
【図７】本発明の一実施の形態に係る香炉の鈴装置の他の一例を示す断面図である。
【符号の説明】
Ａ…カム部
Ｂ…支持部
１…墓
２…石碑
２ａ…芝台
２ｂ…中台
２ｃ…上台
２ｄ…棹石
３…水鉢
４…花立
１０…香炉
２０…香炉本体
２１…香立
２２…穴部
２３…音抜路
２４…口縁リング
３０…鈴装置
３１…蓋
３１ａ…円板部
３１ｂ…嵌合部
３２…鈴
３３…打撃手段
３３ａ…球部
３３ｂ…ばね
３３ｃ…支柱
３４…操作部
３５…伝達手段
３５ａ…円柱部
３５ｂ…偏心カム
３６…支柱
５０…鈴装置
５１…支柱
５２…蓋
５３…操作部
５４…ばね
５５…球部
５６…ばね
５７…規制部
【図１】
2004150104.tif 000003
【図２】
2004150104.tif 000004
【図３】
2004150104.tif 000005
【図４】
2004150104.tif 000006
【図５】
2004150104.tif 000007
【図６】
2004150104.tif 000008
【図７】
2004150104.tif 000009